(57)【要約】【課題】  嗅覚を刺激することにより、交感神経活動を抑制し、また副交感神経の活動を亢進させて好ましくない身体状態を改善するために用いられる芳香療法用組成物を提供する。詳細には、交感神経活動を抑制して鎮静または安眠作用を有する、当該用途に好適に用いられる芳香療法用組成物を提供する。さらに本発明はこれらの芳香療法用組成物を含有することで上記鎮静または安眠作用を有し、当該作用を利用した用途に使用される付香製品を提供する。【解決手段】上記芳香療法用組成物及び付香製品の有効成分として、リナロールを用いる。【選択図】なし【特許請求の範囲】
【請求項１】
(＋)−リナロールまたは（±）−リナロールを有効成分として含有する、鎮静・安眠用組成物。
【請求項２】
(＋)−リナロールまたは（±）−リナロールを樹脂製のシェル内に内包させてマイクロカプセル化してなる鎮静・安眠材。
【請求項３】
請求項１に記載する鎮静・安眠用組成物または請求項２に記載する鎮静・安眠材を含有する鎮静・安眠用の付香製品。
【請求項４】
繊維製品である請求項３に記載する付香製品。
【請求項５】
繊維製品が寝装品である、請求項４に記載する付香製品。
【発明の詳細な説明】
【技術分野】
【０００１】
本発明は、匂い刺激による副交感神経興奮または交感神経抑制作用に基づいて、身体状態を改善するために用いられる芳香療法用組成物、具体的には精神緊張状態を緩和して鎮静または安眠をもたらすために用いられる組成物（鎮静・安眠用組成物）に関する。また、本発明はかかる鎮静・安眠用組成物について、より徐放性及び持続性を高め使いやすい形態にした製材に関する。さらに本発明は、鎮静または安眠をもたらすために用いられる付香製品、特に寝装品といった繊維製品に関する。
【背景技術】
【０００２】
古来より、香りには種々の心理的及び生理的作用があることが経験的に知られている。「アロマテラピー」とは、植物から採取した芳香油（エッセンス、精油）を心身状態の改善に利用する芳香療法のことを意味するが、現在のアロマテラピーは、1928年フランスの科学者ルネ・モーリス・ガットフォッセが「芳香療法」を、また1964年に医師ジャン・ヴォルネが「植物＝芳香療法」を出版したことに端を発して広められたと言われている。
【０００３】
最近では、アロマテラピーといえば、主に精神安定、ストレス解消、及び不眠症の芳香療法として広く普及している。植物のエッセンス（香り）の神経精神生理学的作用については、1973年に、Rovesti 及びColomboが、香りの向精神作用を鎮静と賦活に分けて、香
りの精神疾患療法に対する応用の可能性を報告したことを発端に（非特許文献１参照）、数多くの研究報告がなされている（例えば、非特許文献２〜５等参照のこと）。例えば、ラベンダーやカモミールなどの精油エキスには鎮静及び催眠効果があることが知られている（例えば、非特許文献６、特許文献１等参照のこと）。またラベンダーのもつ鎮静作用は、呼吸器系の疾患、特に不安神経症など極度の精神的緊張に起因する喘息の発作に効果的であることが知られている（例えば、非特許文献７等参照のこと）。また、ラベンダー精油には、上記神経精神生理学的作用とは別に、傷の治りを促す作用（瘢痕形成作用）と抗炎症作用があり、皮膚の様々なトラブル（皮膚炎、やけど、掻痒症、潰瘍、切り傷、打撲など）に効果があること、また抗凝血作用を有しており血液循環の疾患（静脈炎、冠動脈炎、動脈炎、毛細血管の循環不良、浮腫）の治療に使用できることが知られている（例えば、非特許文献７等参照のこと）。
【０００４】
しかしながら、植物のエッセンス（香り）が病気の治療に効果を発揮する理由については未だ不明な点が多く、植物のもつ生命力がヒトの心身に生じているアンバランスを調和させて健康な状態を取り戻す作用を持っているという漠然とした説明しかなされていないのも事実である。これは漢方薬による治療が陰と陽のバランスを重視しているのと共通する。また、エッセンス（香り）による上記治療効果が、抗生物質や鎮痛剤のような薬理学的作用に基づくものなのか、あるいは香水のように心理的な効果に基づくものなのかについても、現在のところ明確には分かっていないのが実情である。
【非特許文献１】Rovesti,P. and Colombo,E. (1973) Aromatherapy and aerosol. Soap, Perfumery and Cosmetics,46: 475-477
【非特許文献２】柳生隆視「香りの精神医学的臨床応用とその課題−神経精神生理学的検討−」FOOD & FOOD INGREDIENTS JOURNAL No.156, 1993, p.50-57
【非特許文献３】古賀良彦「ストレスとアロマテラピー」フレグランスジャーナルNo.86 (1987) p.25-28
【非特許文献４】小森照久など「香りによるうつ病治療の試み−科学的検証と臨床応用−」日本神経精神薬理学雑誌（Jpn. J. Psychopharmacol.) 15:39-42 (1995)
【非特許文献５】古賀良彦「脳機能からみたアロマテラピーの効果」フレグランスジャーナルNo.86 (1987) p.47-51
【非特許文献６】月刊フードケミカル,Vol.10, No.12
【非特許文献７】日本エステル社ホームページhttp://www.esters.co.jp/index.html
【特許文献１】実開平06-50570号公報
【発明の開示】
【発明が解決しようとする課題】
【０００５】
人生の３分の１を占める睡眠は人が健康な生活を営むうえで必要不可欠な本能的行動である。しかしながら、厳しい時間管理、複雑な人間関係、並びに高度な機器の使用等を余儀なくされた環境のもとで、現代人は常に緊張状態（ストレス）に曝されており、さらに都市型の生活スタイルへの変化によって日本人成人の５人に１人は睡眠に何らかの問題を抱えているという報告がある（厚生労働省：平成12年度保健福祉動向調査等）。良質な眠りを確保するためには、覚醒時、就寝前の心身のリラクゼーション、あるいは就寝中の適切な睡眠環境づくりが必要である。
【０００６】
本発明は、好ましくない身体状態を改善するために用いられる芳香療法用組成物（身体改善用芳香組成物）を提供することを目的とする。より詳細には、本発明は、匂いを嗅ぐことによって副交感神経を興奮させるかまたは交感神経を抑制させて身体状態を改善するために用いられる芳香療法用組成物、具体的には、覚醒時または就寝前の心身の緊張を緩和して、鎮静効果（リラクスゼーション）や、入眠を円滑にしたり睡眠途中の覚醒頻度を減少する等といった睡眠改善効果を有する芳香療法用組成物を提供することを目的とする。
【０００７】
さらに、本発明は、匂い成分として上記芳香療法用組成物を含有することで上記効果を有し、専らその効果を利用した用途に使用される付香製品、特に寝装品を含む繊維製品を提供することを目的とする。
【課題を解決するための手段】
【０００８】
本発明者らは、各種の植物精油の匂い成分に注目して鋭意検討していたところ、嗅覚に対するリナロールの匂い刺激によって、脂肪分解が抑制されて脂肪蓄積が促進（エネルギー消費の減少）されること、併せて食欲が亢進して体重が増加することを見いだし、かかる知見から、リナロールの匂い刺激が体内の栄養状態を同化的状態（anabolic）に変化させて、食欲増進、エネルギー消耗抑制またはエネルギー蓄積促進、栄養不良の改善（るい痩の改善）、および組織損傷治癒促進に有効に利用できることを確認した。また本発明者らは、嗅覚に対するリナロールの匂い刺激によって、血圧を降下させることができることを見いだし、リナロールの匂いが高血圧症に対する血圧降下のために有効に利用できることを確認した。さらに本発明者らは、嗅覚に対するリナロールの匂い刺激によって、糖尿病モデル動物の高血糖症状を改善することができることを見いだし、リナロールの匂いが糖尿病の症状の改善や糖尿病合併症の予防に有効に利用できることを確認した。
【０００９】
ところで、ヒトなどの高等動物において、嗅覚情報は大脳皮質のうち主として辺縁系で処理されている。当該辺縁系では、かかる嗅覚情報の処理以外に、食欲や性欲などの本能、情動、自律神経機能などのコントロールが行われている。また血圧調節、心臓、肺、胃及び腸管などの内臓機能の調節は、視床下部を中心とする皮質下の部位で行われるが、辺縁系はそれを支配する上位中枢としての役割をも担っている。このため、こうした辺縁系の種々の機能に対して嗅覚刺激は少なからず影響を与えるものと考えられる。
【００１０】
本発明者らは、こうした考えのもとで、さらに研究を重ねたところ、上記の生理現象の全てが、リナロールの匂い刺激によって交感神経の活動が抑制され且つ交感神経の活動が亢進し、副交感神経の神経活動が優位になることによって生じていることを突き止めた。具体的には、リナロールの匂い刺激による上記の同化作用が、白色脂肪組織、褐色脂肪組織及び副腎を支配する交感神経の活動の抑制により、また腸管を支配する副交感神経の活動の亢進によって生じていること；リナロールの匂い刺激による上記血圧降下作用が、副腎を支配する交感神経の活動抑制と腎臓を支配する交感神経の活動抑制が相俟って生じていること；さらにリナロールの匂い刺激による上記抗糖尿病作用が、副腎を支配する交感神経の活動抑制に伴うアドレナリンの分泌抑制によって生じていることを突き止めた。そして、このことからリナロールの匂いを利用することによって、その副交感神経興奮または交感神経抑制作用に基づいて、慢性感染症や悪液質などの消耗性疾患、痩せ症（るい痩）、栄養不良、組織損傷治癒低下、糖尿病、及び高血圧等を含む、好ましくない身体状態を改善方向に導くことが可能であることを確認した。
【００１１】
こうした研究の裏付けに基づいて、本発明者らは、さらに研究を重ねていたところ、リナロールの嗅覚に対する刺激（匂い刺激）によって、胸腺を支配する迷走神経（副交感神経）の活動が亢進し且つ脾臓を支配する交感神経の活動が抑制されることを確認し、この知見からリナロールの匂いに生体の免疫活性を向上させる作用があることを確信した。さらに、本発明者らは、リナロールの嗅覚に対する刺激（匂い刺激）によって、皮膚の血管収縮に関わる皮膚の交感神経の活動が抑制されることを確認し、この知見からリナロールの匂いに皮膚の血流量を増加させて皮膚の新陳代謝（ターンオーバー）を促進する作用があることを確信した。
【００１２】
ところで、リナロールの匂い刺激によって副腎の交感神経活動が抑制されるということは、リナロールの匂い刺激によって、アドレナリンの分泌が減少し、心身の緊張状態が緩和されて鎮静及び安眠効果が得られることを意味している。そこで、発明者らは、ラットのリズム行動に対するリナロールの匂いの影響を調べたところ、リナロールの匂い刺激を与えることによってラットの運動量が低下すること、特に睡眠時間帯における効果が大きいことを確認し、リナロールの匂い刺激によって鎮静及び睡眠改善効果が得られることを確信した。
【００１３】
本発明はかかる知見に基づいて、完成したものである：
項１．(＋)−リナロールまたは（±）−リナロールを有効成分として含有する、匂い刺激による副交感神経興奮または交感神経抑制作用に基づく鎮静・安眠（睡眠改善）用組成物。
項２．(＋)−リナロールまたは（±）−リナロールを樹脂製のシェル内に内包させてマイクロカプセル化してなるものである、匂い刺激による副交感神経興奮または交感神経抑制作用に基づく鎮静・安眠（睡眠改善）材。
項３．項１に記載する鎮静・安眠（睡眠改善）用組成物または項２に記載する鎮静・安眠（睡眠改善）材を含有する鎮静・安眠（睡眠改善）用の付香製品。かかる付香製品には、項１に記載する鎮静・安眠（睡眠改善）用組成物または項２に記載する鎮静・安眠（睡眠改善）材を含有することによって、鎮静または安眠（睡眠改善）作用を有するものであって、鎮静または安眠（睡眠改善）のために用いられる旨の表示が付されてなる付香製品が含まれる。
項４．繊維製品である項３に記載する付香製品。
項５．繊維製品が寝装品である、項４に記載する付香製品。
【００１４】
以下に、本発明を詳細に説明する。
Ｉ．芳香療法用組成物（鎮静・安眠用組成物）
本発明は、匂い刺激を利用して心身の好ましくない状態を改善するために用いられる芳香組成物に関する。より詳細には本発明は、匂い刺激を利用して心身の緊張状態やストレスによって生じる心身の好ましくない状態を改善するために用いられる芳香組成物に関する。この意味で、本発明では単なる芳香組成物と区別するために「芳香療法用組成物」と称する。中でも本発明の「芳香療法用組成物」は鎮静または安眠（睡眠改善）を用途とする組成物であり、この意味で「鎮静・安眠（睡眠改善）用組成物」と称されるものである。
【００１５】
本発明の芳香療法用組成物は、リナロール（linalool、3,7-dimethyl-1,6-octadien-3-ol; 2,6-dimethyl-2,7-octadien-6-ol）を有効成分として含有することを特徴とする。なお、リナロールにはｌ体〔Ｒ（−）型、本発明では「(−)-リナロール」と称する〕、ｄ体〔Ｓ（＋）型、本発明では「(＋)-リナロール」と称する〕及びdl体〔ラセミ体、本発明では（±）-リナロールと称する〕）があり、本発明が対象とするリナロールにはこれらのいずれもが含まれる。好ましくは、(＋)-リナロールまたは（±）-リナロールであり、より好ましくは(＋)-リナロールである。なお、これらのリナロールの由来は特に制限されず、植物の精油等から抽出精製される天然由来のもの、または合成由来のもののいずれであってもよい。ただ、後記の実験例の結果からわかるように、リナロールは合成品についても本発明の効果が認められているので、天然由来のものに拘泥することなく、経済性等の観点から合成品を選択することもできる。なお、合成及び天然由来のリナロールは、（＋）-リナロール、（±）-リナロール、及び（−）-リナロールのいずれも商業的に入手することができる。
【００１６】
本発明の芳香療法用組成物は、鎮静または安眠（睡眠改善）の効果をもたらす香気成分として、実質的にリナロールだけを含むものであることが好ましいが、リナロールの鎮静または安眠（睡眠改善）を利用して全体として鎮静または安眠（睡眠改善）の効果を奏するものであれば、リナロールに他の香気成分を組み合わせて有するものであってもよい（但し、天然由来の精油は除く）。かかる組合せ物としては、リナロール（合成リナロールまたはリナロールを含む植物の精油［例えばコリアンダーやラベンダー精油］から分離精製したリナロール）に、他の合成または天然由来の香気成分を人為的に組合せたものを例示することができる。
【００１７】
なおリナロールを含む精油としては、ローズウッド、タイム・リナロール、コリアンダー、ネロリアブソリュート、イランイラン、ラベンダー、バジルスィート、ネロリ、オレガノ、マジョラム、プリグレン、バジル、クラリセージ、ベルガモット、カモマイル・ブルー、マートル等に由来する植物精油を挙げることができる。これらの精油は、各種の植物の特定部位を例えば水蒸気蒸留することによって調製することができるが、簡便には商業的に入手することもできる。
【００１８】
本発明の芳香療法用組成物は、リナロールを基本とする香気成分だけからなるものであっても、又、本発明の効果を奏する範囲においてリナロールを基本とする香気成分以外の成分を含有するものであってもよい。香気成分以外の成分としては、通常香料組成物の調製に使用される基剤や添加剤等を挙げることができる。
【００１９】
本発明の芳香療法用組成物が、香気成分以外の成分を含有する場合、当該組成物中に含まれるリナロールの含有割合としては、本発明の効果を奏することを限度として、例えば０．０００１〜９９％（ｗ／ｗ）の範囲から適宜選択することができる。
【００２０】
本発明の芳香療法用組成物は、本発明の効果を奏することを限度として、その形状を特に問うものではない。例えば、通常の香料の溶剤として使用されるエタノール、プロピルアルコールまたはイソプロピルアルコールなどの炭素数１〜６の低級アルコール、並びにプロピレングリコールやグリセリンなどの多価アルコールに溶解した溶液状；アラビアガムやトラガントガム等の天然ガム質類、またはグリセリン脂肪酸エステルやショ糖脂肪酸エステルなどを用いて乳化した乳化状；アラビアガムなどの天然ガム質類、ゼラチン、デキストリンなどの香料の賦形剤として公知の材料で被覆した粉末状；界面活性剤などを用いて可溶化（分散化）した可溶化状（分散状）；公知のカプセル化剤で処理して得られるマイクロカプセルなど、目的に応じて任意の形状を選択し、常法に従って調製することができる。また、サイクロデキストリンなどの公知の賦形剤で包接して、徐放性を持たせることもできる。
【００２１】
II.芳香療法材（鎮静・安眠材）
上記の芳香療法用組成物（鎮静・安眠用組成物）は、樹脂製のシェル内に内包させてマイクロカプセル化された形態を有することが好ましい。かかるマイクロカプセルの形態を有することによって、本発明の芳香療法用組成物（鎮静・安眠用組成物）の有効成分であるリナロールの蒸発速度をコントロールし（徐放化）、本発明の効果を持続させることができる。また、熱や光に直接曝されることによる変質を抑制することができる。さらに、マイクロカプセルの形態にすることによって、繊維製品などへの加工が容易となり、また洗濯による香りの消失を抑制することができる。従って本発明は、上記の芳香療法用組成物（鎮静・安眠用組成物）を、樹脂製のシェル内に内包させてマイクロカプセル化してなる芳香療法材（鎮静・安眠材）を提供する。
【００２２】
上記本発明の芳香療法用組成物（鎮静・安眠用組成物）を内包させるシェルの素材は、通常香料のマイクロカプセル化に使用されるもの、好ましくは非水性で且つ加工時の耐熱性に優れたものであればよく、特に制限されない。好ましくはアクリル樹脂、ウレタン樹脂、シリコーン樹脂、メラミン樹脂、または尿素−ホルムアルデヒド樹脂を好適に挙げることができる。汎用性の観点から、より好ましくはウレタン樹脂またはメラミン樹脂である。これらの樹脂をシェル材（壁膜材）とするマイクロカプセルの製造には、当業界で公知の方法を広く使用することができる。制限はされないが、具体的には相分離法、重合法、気中懸濁法、in situ重合法またはコアセルベーション法を例示することができる。
【００２３】
マイクロカプセルの大きさ（平均粒径）や膜厚も特に制限されない。マイクロカプセルの平均粒径としては、通常０.５〜５０μｍの範囲内、好ましくは１〜１０μｍの範囲内を例示することができる。またマイクロカプセルの膜厚としては、通常０.１〜２０μｍの範囲内、好ましくは０.２〜５μｍの範囲内を例示することができる。
【００２４】
かかるマイクロカプセル形態を有する芳香療法材（鎮静・安眠材）は、上記芳香療法用組成物（鎮静・安眠用組成物）を全体の５〜９０重量％、好ましくは２０〜８０重量％の割合で含むことが好ましい。
【００２５】
III．付香製品
前述する芳香療法用組成物（鎮静・安眠用組成物）または芳香療法材（鎮静・安眠材）は、鎮静・安眠（睡眠改善）を目的として、各種の製品に香料（芳香成分）として配合することができる。ゆえに本発明は、上記本発明の芳香療法用組成物（鎮静・安眠用組成物）または芳香療法材（鎮静・安眠材）を含有する、鎮静・安眠（睡眠改善）を用途として使用される付香製品を提供する。
【００２６】
本発明が対象とする付香製品は、上記リナロールに起因する匂いを発する製品であって、当該匂いに基づいて好ましくない身体状態を改善する作用を有するものである。より具体的には、本発明の付香製品は、心身の緊張をほぐして鎮静化する作用（鎮静作用）、または心身の緊張をほぐして入眠を円滑に導きまた睡眠途中の覚醒頻度を減少させて安眠をもたらす作用（安眠作用、睡眠改善作用）を有する製品であって、その目的・用途で使用されるものである。
【００２７】
本発明の付香製品は、上記の作用及び目的・用途を有するものであれば、特に制限されないが、具体的な付香製品としては、例えば、芳香剤、香粧品、吸入投与剤、繊維製品用洗剤、繊維製品、建材、食品、医薬品、医薬部外品または日用品（雑貨）などを挙げることができる。好ましくは、芳香剤、香粧品、吸入投与剤、繊維製品、建材、食品、医薬部外品または日用品（雑貨）であり、さらに好ましくは繊維製品、食品である。なお、これらの付香製品は、本発明の芳香療法用組成物（鎮静・安眠用組成物）または芳香療法材（鎮静・安眠材）を含有することに基づいて、鎮静（リラクゼーション）または安眠といった効果または用途を示す表示が付されてなる製品であってもよい。
【００２８】
芳香剤としては、本発明の芳香療法用組成物（鎮静・安眠用組成物）または芳香療法材（鎮静・安眠材）を含有することによって上記鎮静または安眠（睡眠改善）作用を有し、鎮静または安眠の用途に使用されるものを挙げることができる。その中には、室内用、トイレ用、自動車用、玄関用、浴室用、クローゼット用、衣類等の繊維用、タンス用等の芳香剤が含まれる。なお、消臭効果を兼ね備えているものもここでいう芳香剤に含まれる。芳香剤の形態も固体状、半固体状（ゼリー状、ゲル状等）、液体状、エアゾール状等の様々な形態が使用される。
【００２９】
香粧品には、本発明の芳香療法用組成物（鎮静・安眠用組成物）または芳香療法材（鎮静・安眠材）を含有することによって上記鎮静または安眠（睡眠改善）作用を有し、鎮静または安眠の用途に使用される化粧料、石鹸等の生体洗浄剤や入浴剤、香水などのフレグランス、練歯磨、液体歯磨、洗口剤、マウスペット、及び口中清涼剤等が包含される。香粧品として、具体的には、例えばクリーム、乳液、化粧パウダー、ボディーローション、整髪料、洗髪料、石鹸、ボディーソープ、制汗剤、シャンプー、リンス、香水、化粧水、口紅、リップクリーム、サンスクリーン、マッサージオイル、マッサージクリーム、及びスキンケアオイル等が挙げられる。
【００３０】
吸入投与剤には、本発明の芳香療法用組成物（鎮静・安眠用組成物）または芳香療法材（鎮静・安眠材）を含有することによって上記鎮静または安眠（睡眠改善）作用を有し、鎮静または安眠の用途に使用されるものであって、スプレーや芳香成分の揮発等によって鼻付近で芳香を発生させ、意図的に芳香を吸入させるものが含まれる。具体的には、点鼻薬、噴霧剤、吸入液等を例示することができる。
【００３１】
食品としては、本発明の芳香療法用組成物（鎮静・安眠用組成物）または芳香療法材（鎮静・安眠材）を含有することによって、上記鎮静または安眠（睡眠改善）作用を有し、当該作用に基づく効果（鎮静、安眠・睡眠改善）を目的として摂取されるものを挙げることができる。本発明の芳香療法用組成物の匂い成分（リナロール）による効果を効率よく得るためには、口中に比較的長い時間留まり鼻腔を経由して芳香が吸入されるものや、口に入れる前に香り成分が鼻腔から吸入されるものが好ましい。具体的には、ガム、飴、グミ、及びトローチなどの菓子類；ヨーグルトやアイスクリーム等の冷菓やデザート；茶等の清涼飲料水：口中清涼剤；サプリメントなどを挙げることができる。
【００３２】
繊維製品用洗剤としては、本発明の芳香療法用組成物（鎮静・安眠用組成物）または芳香療法材（鎮静・安眠材）を含有することによって上記鎮静または安眠（睡眠改善）作用を有し、繊維に鎮静または安眠（睡眠改善）の効果に付加するために使用されるものを挙げることができる。具体的には、陰イオン性、陽イオン性、非イオン性若しくは両性イオン性の洗剤、繊維製品柔軟剤、繊維製品柔軟用製品、ドライヤー用繊維柔軟剤製品等を例示することができる。
【００３３】
繊維製品としては、本発明の芳香療法用組成物（鎮静・安眠用組成物）または芳香療法材（鎮静・安眠材）を含有することによって上記鎮静または安眠（睡眠改善）作用を有し、鎮静または安眠の用途に使用されるものを広く挙げることができる。具体的には、肌着（靴下、タイツ及びストッキングも含まれる）や上着などの衣料品；ハンカチやタオル類；マスクや汗吸収パットなどの衛生用品；掛布団、敷布団、敷きマット、ブランケット、タオルケット、枕、ベッドマット、ソファー、クッション、座布団、及びこれらのカバー等の寝装品；カーペット等の敷物；バッグや袋；カーテン、及び小物等を挙げることができる。
【００３４】
繊維製品を構成する繊維の種類（素材）や繊維製品の形状は特に制限されない。例えば繊維の種類（素材）としては、ポリエステル系繊維、ポリアミド系繊維、ポリアクリロニトリル系繊維、ビニロン系繊維、ポリ塩化ビニル系繊維、ポリエチレン系繊維、ポリプロピレン系繊維、ポリウレタン系繊維等の合成繊維、ジアセテート、トリアセテートなどの半合成繊維、レーヨン、キュプラ、テンセル等の再生繊維、木綿、麻、羊毛、絹などの天然繊維を挙げることができる。これらが任意の割合で２種以上混在してなる繊維製品であってもよい。繊維製品の形状としては、織物、編み物、不織布、フェルトなどの布帛形態；綿状物；ロープ状物；及び糸状物などを例示することができる。
【００３５】
かかる繊維製品に本発明の芳香療法用組成物（鎮静・安眠用組成物）を含有させる方法は特に制限されないが、通常マイクロカプセル形態に調製された上記の芳香療法材（鎮静・安眠材）をバインダー樹脂を介して繊維に固着させることによって行うことができる。かかるバインダー樹脂は、単繊維の表面上に皮膜状に固着するものであることが好ましく、具体的にはアクリル樹脂、ウレタン樹脂、シリコーン樹脂、ポリエステル樹脂などを単独または複数組み合わせて使用することができる。なお、マイクロカプセルをバインダー樹脂を介して繊維に固着させる方法としては、当業界で一般的に使用されている公知の方法が使用することができ、例えばマイクロカプセルとバインダー樹脂を水分散液とした後、該水分液をパディング法、スプレー法、コーティング法等により繊維へ付与し、乾燥機内で加熱、固化させる方法などを挙げることができる。中でも生産効率の面からパディング法による固着方法が好ましい。制限はされないが、マイクロカプセルと上記のバインダー樹脂は１：１０〜１０：１の重量割合で繊維に固着していることが好ましい。
【００３６】
また、医薬部外品としては、本発明の芳香療法用組成物（鎮静・安眠用組成物）または芳香療法材（鎮静・安眠材）を含有することによって上記鎮静または安眠（睡眠改善）作用を有し、鎮静または安眠の用途に使用されるものを挙げることができる。具体的には、練歯磨、液体歯磨、洗口剤、マウスペット、口中清涼剤、パップ剤などが含まれる。
【００３７】
建材としては、本発明の芳香療法用組成物（鎮静・安眠用組成物）または芳香療法材（鎮静・安眠材）を含有することによって上記鎮静または安眠（睡眠改善）作用を有し、鎮静または安眠の用途に使用されるものを挙げることができる。具体的には、壁紙、障子紙、フスマ紙、ボード、及び塗材等が含まれる。
【００３８】
付香製品における本発明の芳香療法用組成物（鎮静・安眠用組成物）または芳香療法材（鎮静・安眠材）の含有量は、特に制限されないが、通常リナロールの含有量に換算して０．０００１〜９９.９％（ｗ／ｗ）の範囲から適宜選択することができる。ただし、本発明の芳香療法用組成物の効果は、年令、性別、心理状態、及び身体状態等の個人差などにより影響を受けるので、０．０００１％（ｗ／ｗ）未満の香料組成物を含有する付香製品を用いることもある。
【００３９】
芳香剤には、本発明の芳香療法用組成物（鎮静・安眠用組成物）または芳香療法材（鎮静・安眠材）に加えて、従来芳香剤に使用されてきた基剤、添加剤等の成分を含有させることができる。芳香剤用基剤としては、固体、液体、半固体状（ゼリー状、ゲル状等）、エアゾール状等の形態をとるものが一般的である。例えば、水、エタノール、固体又は液体の陰イオン性、陽イオン性、非イオン性活性剤、高分子剤、油脂、グアガム、キサンタンガム、アラビアガム、ジェランガム、カラギーナン、ゼラチン、寒天等が挙げられる。さらに、固体ポリマー（例えば、ポリスチレン、ポリプロピレン）、ケイ酸カルシウム等の保持用担体に含浸させた製品形態で用いることができる。
【００４０】
香粧品には、本発明の芳香療法用組成物（鎮静・安眠用組成物）または芳香療法材（鎮静・安眠材）に加えて、従来香粧品に使用されてきた基剤、添加剤等の成分を含有させることができる。基剤としては、特に制限されないが、例えば、水、エタノール、タルク、ゼラチン、等が挙げられる。添加剤としては、特に制限されないが、例えば、保湿剤、皮膚柔軟剤、防腐剤、溶解剤等が挙げられる。
【００４１】
香粧品が香水の場合には、本発明による芳香療法用組成物（鎮静・安眠用組成物）または芳香療法材（鎮静・安眠材）をそのまま単独で何も加えずに使用するか、アルコール（例えば、エチルアルコール）または水性アルコールに本発明の芳香療法用組成物（鎮静・安眠用組成物）または芳香療法材（鎮静・安眠材）を溶解した状態で使用することができる。香水には、本発明の芳香療法用組成物（鎮静・安眠用組成物）または芳香療法材（鎮静・安眠材）を、リナロールの含有量に換算して０．０００１〜９９.９（ｗ／ｗ）％の割合で配合することができる。水とアルコールとの配合比は、５０：５０〜０：１００（容量比）の範囲を挙げることができる。コロンは、溶解剤、柔軟化剤、ヒューメクタン、濃化剤、静菌剤、またはその他化粧品に通常用いられる材料を含有することができる。通常の調香手段を用いて、本発明の芳香療法用組成物（鎮静・安眠用組成物）または芳香療法材（鎮静・安眠材）に調和する香料成分を更に添加して変調し、保留性やこくなどを加えて仕上げたり、あるいはトップノート、ミドルノート、ベースノートを適当に組み合わせて経時的にも魅力的な芳香を発する配合物を調製することができる。
【００４２】
吸入投与剤には、本発明の芳香療法用組成物（鎮静・安眠用組成物）または芳香療法材（鎮静・安眠材）に加えて、従来吸入投与剤に使用されてきた基剤、添加剤等の成分を含有させることができる。また、吸入用の気体を使用する場合も従来の吸入投与剤に使用されてきた気体を使用することができる。
【００４３】
繊維製品用洗剤には、本発明の芳香療法用組成物（鎮静・安眠用組成物）または芳香療法材（鎮静・安眠材）に加えて、従来から繊維製品用洗剤に使用されている他の成分を使用することができる。
【００４４】
繊維製品には、本発明の芳香療法用組成物（鎮静・安眠用組成物）または芳香療法材（鎮静・安眠材）に加えて、従来から繊維製品の加工に使用されている他の成分（例えば、帯電防止剤、抗菌剤、防ダニ剤、難燃剤、親水剤、吸湿剤、保湿剤、抗アレルギー剤など）を使用することができる。
【発明の効果】
【００４５】
以上述べるように、リナロールを有効成分とする本発明の芳香療法用組成物（鎮静・安眠用組成物）、芳香療法材（鎮静・安眠材）、及び付香製品によれば、それが発するリナロールの匂いの刺激によって副交感神経の活動が亢進（興奮）し、交感神経の活動が抑制される。よって本発明は、匂い刺激に基づいてこうした副交感神経の神経活動を優位にすることに基づく身体改善作用、具体的には心身の緊張を緩和して、心身を鎮静化する作用（リラクゼーション作用）や、入眠を円滑にしまた睡眠途中の覚醒頻度を減少する作用（安眠作用、睡眠改善作用）を発揮することができる。
【００４６】
その他、リナロールの匂いが嗅覚を刺激することによって生じる副交感神経の活動亢進（興奮）または交感神経の活動抑制に起因する身体改善作用としては、食欲を増進させる作用、エネルギー蓄積を促進する作用、栄養不良を改善する作用、組織損傷治癒促進作用、糖尿病の高血糖状態を改善する作用、血圧を降下させる作用、免疫力を向上する作用、並びに皮膚の新陳代謝を亢進する作用を挙げることができる。
【００４７】
すなわち、芳香療法用組成物（鎮静・安眠用組成物）、芳香療法材（鎮静・安眠材）及び付香製品は、リナロールの匂いを発することに基づいて、交感神経を抑制して鎮静効果を発現するとともに、迷走神経（副交感神経）の活動を高めて消化作用の促進と同化作用の亢進することから、鎮静または安眠の用途に使用されると同時に、食欲不振の改善、慢性消耗性疾患並びに慢性感染症や悪液質等のエネルギー消耗性疾患の改善、るい痩の改善、栄養障害の改善、組織損傷の治癒修復の促進、術後・病中病後・産前産後の体力回復などに有効に使用することができる。さらに、芳香療法用組成物（鎮静・安眠用組成物）、芳香療法材（鎮静・安眠材）及び付香製品は、リナロールの匂いを発することに基づいて、生体の免疫力を向上させ、また皮膚の新陳代謝を亢進することができるため、鎮静または安眠の用途に使用されると同時に、免疫力が低下または低下傾向にある被験者（術後・病中病後・産前産後の被験者を含む）、若齢者並びに高齢者について免疫力を向上させて、病原菌（ウイルスを含む）等への感染や罹患の予防、疾病の早期治癒に有効に使用することができ、また皮膚年齢の若返り（肌のみずみずしさや弾力性の回復や維持）、しわや色素沈着を抑制または改善するのに有効に使用することができる。
【発明を実施するための最良の形態】
【００４８】
以下、被験物質としてリナロールを用いて行った実験を例として本発明を説明する。但し、本発明はこれらの実験例に何ら限定されるものではない。なお、下記の実験例においてリナロールとして、（±）-リナロール((±)-3,7-Dimethyl-3-hydroxy-1,6-octadiene）〔dl -リナロール(dl-3,7-Dimethyl-3-hydroxy-1,6-octadiene）〕（合成品、純度97%以上）（Aldrich Chem. Co., Milwaukee)、または（＋）-リナロール((＋)-3,7-Dimethyl-3-hydroxy-1,6-octadiene）〔S-リナロール(S-(＋)-3,7-Dimethyl-3-hydroxy-1,6-octadiene）〕（三栄源エフ・エフ・アイ（株）より入手、コリアンダーを水蒸気蒸留後、精密分留して取得。純度99％以上）を用いた。
【００４９】
実験例１  リナロールの匂い刺激による脂肪分解反応に対する影響
１．始めに
リナロールの匂い刺激が体内の脂肪分解反応にどのように影響するかについて調べた。
【００５０】
なお、哺乳類の脂肪分解を個体レベルで測定する方法としては、脂肪組織に蓄積された中性脂肪がリパーゼにより分解されて生じる遊離脂肪酸もしくはグリセロールの血中濃度を測定する方法を挙げることができる。この際、分解により生じた遊離脂肪酸はその場で脂肪組織の中性脂肪合成の基質となり得るが、グリセロールが脂肪合成に利用されるためには一旦肝臓でリン酸化される必要がある。従って、個々の被験者（被験動物）における脂肪分解反応をより精度高く測定するためには、血中のグリセロール濃度を測定する方法を用いるのが好ましい。そこで、本実験では、血中のグリセロール濃度（血漿グリセロール濃度）を測定して、リナロール（(±)- リナロール）の匂い刺激が体内の脂肪分解反応に与える影響を調べた。
【００５１】
２．被験動物
ラット（雄、Wistar rat、250〜300g）を被験動物として用いて、下記の実験を行った
。なお、ラットは、予め１週間、24±1℃、12時間周期の明期（照明80lx、7:00-19:00）
及び暗期（19:00-7:00）の環境下で一匹ずつ個別のプラスチックケージに収容して、飼料（MF type; Oriental Yeast）と水は自由に摂取させながら、飼育した。但し、実験開始
直前から採血終了までは、一切食餌を与えなかった。各実験開始の３日前、ペントバルビタール麻酔下(35mg/kg)で、SILASTIC製（Dow Corning, Midland MI）及びPE-50製（Clay Adams, Parsippany, NJ）からなる心臓カテーテルを右心房に挿入した。
【００５２】
３．実験及び結果
＜実験＞
実験当日、ラットを２群に分けて（各群：５匹）、第１群のラットに無麻酔下で下記の方法でリナロールによる匂い刺激を与えた。第２群のラットはコントロール群である。なお、リナロールは、1.5万倍容量の蒸留脱イオン水に懸濁して用いた（1.5万倍希釈）。
【００５３】
第１群（リナロール匂い刺激群）：リナロール懸濁液（1.5万倍希釈）を、7.5 cm角の医療用不織布ガーゼ（レーヨン100%、重量１g、ネオガーゼ、川本産業株式会社）に十分に吸収させて、被験ラットを収容したプラスチックケージの上蓋（金属製）の上に置き、ケージを上からナイロン布で被った。
第２群（コントロール群）：7.5 cm角の医療用不織布ガーゼ（レーヨン100%、重量１g、ネオガーゼ、川本産業株式会社）に蒸留脱イオン水を十分に吸収させて、被験ラットを収容したプラスチックケージの上網蓋（金属製）の上に置き、ケージを上からナイロン布で被った。
【００５４】
各群のラットについて、上記ガーゼを置く直前（0分）、ガーゼを配置後15分、30分、60分、90分及び120分後に、それぞれ右心房に挿入した心臓カテーテルから血液（各0.3ml）を採取した。採取した血液にEDTA（300nmol/10μl）をそれぞれ10μlずつ添加し、遠心して血漿を取得した後、直ちに血漿中のグリセロール濃度を測定した。なお、血漿中のグリセロール濃度は、glycerokinase、pyruvate kinase及びlactate dehydrogenaseの酵素
とNADH、ATP及びphosphoenolpyruvateの基質を用いる酵素法によるグリセロール測定キット（F-キット・グリセロール、J.K.インターナショナル社、東京）を用いて測定した。
【００５５】
＜結果＞
結果を図１に示す。なお、図のデータは平均値±標準誤差で示す。図中の括弧内の数字は被験ラット数を意味する。また図中、−●−は、第１群（リナロール匂い刺激群）のラット、---○---は第２群（コントロール群）のラットの結果を、それぞれ示す。図１に示すように、第１群（リナロール匂い刺激群）（―●―）の血漿中のグリセロール濃度は、第２群（コントロール群）（---○---）と比較して有意に低かった［P<0.0005 (F=14.7) by ANOVA］。
【００５６】
＜考察＞
この実験結果は、リナロールの匂い刺激によって血中のグリセロール濃度の上昇が抑制されることを示す。すなわち、この結果は、リナロールの匂いを吸入することによって体内における脂肪分解が抑制されること、すなわちリナロールの匂い刺激は体内のエネルギー消費の抑制（エネルギー蓄積促進）に働くことを示すものである。
【００５７】
実験例２  リナロール匂い刺激による摂食量、体重及び組織重量の変化に対する影響
１．はじめに
実験例１の結果は、リナロールによる匂い刺激が脂肪組織における脂肪分解を抑制することを示している。従って、リナロールの匂い刺激によって、脂肪分解の抑制に伴うエネルギー消費の減少が生じていれば、脂肪組織重量が増加し、体重が増加することが考えられる。そこで、本実験では、摂食量、体重および組織重量に与えるリナロール（(±)- リナロール）の匂い刺激の影響を調べた。
【００５８】
２．被験動物
ラット（雄、Wistar rat、200〜250g ）を被験動物として用いて、下記の実験を行った。なお、ラットは、予め１週間、24±1℃、12時間周期の明期（照明80lx、7:00-19:00）
及び暗期（19:00-7:00）の環境下で１匹ずつ個別のケージで、飼料（MF type; Oriental Yeast）と水を自由に摂取させながら飼育した。
【００５９】
３．実験、結果及び考察
＜実験＞
ラットを２群（第１群、第２群）に分けて（各群：４匹）、下記の方法で、第１群のラットに毎日１３時より無麻酔下で１５分間匂い刺激を与えた。なお、第２群のラットはコントロール群である。各群のラットについて毎週１回摂食量と体重を測定した。さらに６週間の飼育後に、断頭屠殺して、心臓、肝臓、脾臓、腎臓、白色脂肪組織（腸間膜、副睾丸および腎臓周囲脂肪組織）及び膵臓を採取して、各臓器及び組織の重量を測定した。なお、リナロールは、３万倍容量の蒸留脱イオン水に懸濁して用いた（３万倍希釈）。
【００６０】
第１群（リナロール匂い刺激群）：リナロール懸濁液（３万倍希釈）を、7.5 cm角の医療用不織布ガーゼ（レーヨン100%、重量１g、ネオガーゼ、川本産業株式会社）に十分に吸収させて、被験ラットを収容したプラスチックケージの上蓋（金属製）の上に置き、ケージを上からナイロン布で被った。
第２群（コントロール群）：7.5 cm角の医療用不織布ガーゼ（レーヨン100%、重量１g、ネオガーゼ、川本産業株式会社）に蒸留脱イオン水を十分に吸収させて、被験ラットを収容したプラスチックケージの上網蓋（金属製）の上に置き、ケージを上からナイロン布で被った。
【００６１】
＜結果＞
結果を図２〜４に示す。なお、各図のデータは平均値±標準誤差で示す。図中の括弧内の数字は被験ラット数を意味する。また図中、−●−は、第１群（リナロール匂い刺激群）のラット、---○---は第２群（コントロール群）のラットの結果を、それぞれ示す。
【００６２】
図２に示すように、各週におけるラット１匹当たりの１日摂食量（g/day/rat）は第２群（コントロール群）（---○---）では約22ｇ位であるが、第１群（リナロール匂い刺激群）（―●―）では実験後半（４〜６週目）において増加傾向[0.05<P<0.1 (F=3.509) by
ANOVA]を示した。図３はこの時のラットの体重変化を示す。体重は両群共に増加してい
るが、第２群（コントロール群）（---○---）と比較して第１群（リナロール匂い刺激群）（―●―）では全期間に亘って体重増加傾向[0.05<P<0.1 (F=2.991) by ANOVA;]であっ
た。図４は、６週間に亘って毎日リナロールの匂い刺激もしくはコントロール実験として水の匂い刺激を与えた時の組織重量（心臓、肝臓、脾臓、腎臓、白色脂肪組織（腸間膜、副睾丸および腎臓周囲脂肪組織）、膵臓）を示す。第２群（コントロール群）（□カラム）と比較して、第１群（リナロール匂い刺激群）（■カラム）は、いずれの組織の重量も増加傾向にあった（但し、肝臓及び白色脂肪組織[腸間膜、副睾丸および腎臓周囲脂肪組
織]については、統計的な有意差は認められなかった）。
【００６３】
＜考察＞
これらの実験結果は、リナロールによる匂い刺激が食欲を亢進させて体重を増加させることを示唆するものである。統計的有意差はみられなかったが、リナロールの匂い刺激は肝臓や白色脂肪組織の重量を増加させる傾向にあった。このことから、リナロールの匂い刺激は体内の代謝を同化的（anabolic）に変化させる可能性がある。
【００６４】
実験例３  匂い刺激の自律神経活動に対する影響
１．はじめに
上記の実験例１及び２の実験結果からリナロールによる匂い刺激は、自律神経活動の変化を介して脂肪分解、体重増加および組織重量増加（組織蛋白増加蓄積）などに影響を与えている可能性が考えられた。そこで、本実験では、麻酔ラットを用いて、リナロール〔(±)- リナロールを使用〕の匂い刺激が与える、交感神経〔副睾丸脂肪組織（白色脂肪組織）、肩甲間（背側）褐色脂肪組織および副腎を神経支配する交感神経〕と副交感神経（胃を神経支配する迷走神経）の電気活動に対する影響を検討した。
【００６５】
２．被験動物
ラット（雄、Wistar rat、200〜250g、5匹）を被験動物として用いて、下記の実験を行った。なお、ラットは、予め１週間、24±1℃、12時間周期の明期（照明80lx、7:00-19:00）及び暗期（19:00-7:00）の環境下で１匹ずつ個別のケージで、飼料（MF type; Oriental Yeast）と水を自由に摂取させながら飼育した。
【００６６】
３．実験、結果及び考察
＜実験＞
実験は、上記ラットを２群（第１群、第２群）（各群5匹）に分けて、６時間絶食後ウレタン麻酔下（１g/kgのウレタン水溶液を腹腔内投与）で、開腹した後、下記の方法で、１０分間匂い刺激を与えて、各自律神経の遠心枝について電気活動の変化を測定することにより行った（図５参照）。
第１群（リナロール匂い刺激群）：リナロールを100倍容量の蒸留脱イオン水に懸濁し（100倍希釈）、ろ紙に十分吸収させて、それを直径５cm深さ６cmのガラス製ビーカーの底に置き、ラットの鼻の部分をビーカーの中に置いて匂い刺激を与えた。
第２群（コントロール群）：蒸留脱イオン水をろ紙に十分に吸収させて、第１群と同様にビーカーの底に置き、ラットの鼻の部分をビーカーの中に置いて匂い刺激を与えた。
【００６７】
各自律神経（遠心枝）の電気活動の測定は、具体的には、開腹したラットの各自律神経の遠心枝を、実体顕微鏡下で銀製記録電極で釣り上げて行った。乾燥を防ぐ為に電極は予め液体パラフィンとペトロレウムゼリーの混合物に十分浸しておいた。得られた神経の電気活動はコンデンサー式差動増幅器にて増幅し、オッシロスコープにてモニターし、磁気テープに記録した。全ての神経活動は、その生データをバックグランド・ノイズと分離するためにスライサーとウィンドウ・ディスクリミネーターを用いて標準パルスに変換した後に解析した。放電頻度はレイトメーターにより５秒間のリセットタイムにてペンレコーダー上に表示した。電気活動の記録は９０分間以上行った。
【００６８】
＜結果＞
各自律神経〔副睾丸脂肪組織（白色脂肪組織）を神経支配する交感神経、肩甲間（背側）褐色脂肪組織を神経支配する交感神経、副腎を神経支配する交感神経、胃を神経支配する迷走神経（副交感神経）〕の遠心枝の神経活動（電気活動）の変化を示す代表的な結果を図６に示す。図６の左から順に、第２群（コントロール群）及び第１群（リナロール匂い刺激群）の匂い刺激による神経活動の結果を示す。
【００６９】
この結果からわかるように、蒸留水を掲げた第２群（コントロール群）は、白色脂肪組織、褐色脂肪組織および副腎を支配する交感神経の活動にも、また胃を支配する副交感神経（迷走神経）の活動にも何ら変化も起こさなかった。一方、リナロールの匂いを嗅がせた第１群（リナロール匂い刺激群）は、白色脂肪（副睾丸）脂肪組織、褐色脂肪組織および副腎を支配する交感神経の活動を低下させ、且つ胃を支配する副交感神経（迷走神経）の活動を上昇させた。
【００７０】
＜考察＞
これらの実験結果は、リナロールの匂い刺激によって、白色脂肪組織、褐色脂肪組織および副腎を支配する交感神経活動が抑制されることを示すものである。
【００７１】
これらの事実から、リナロールの匂い刺激によって脂肪分解が抑制（エネルギー蓄積促進）された実験例１の結果を、理論的に説明することができる。白色脂肪組織の交感神経が興奮すると、ホルモン感受性リパーゼが活性化されて中性脂肪が脂肪酸とグリセリンに分解され、一方、その交感神経が抑制されると当該中性脂肪の分解が抑制されて、脂肪の合成が高まることが知られている。褐色脂肪組織はヒトの新生児には認められるが、成人の場合は肉眼的に認められない組織である。しかしながら、熱産生機能を有する非共役蛋白質（uncoupling protein 1-3、UCP1-3、以下「UCP蛋白質」という）は、成人でも脂肪組織や筋肉などに存在することが知られている。そして、その脂肪組織（褐色脂肪細胞に相当する）や筋肉の交感神経が興奮すると上記UCP蛋白質の量や機能が高まり、熱産生が亢進し、一方、その交感神経が抑制されると、逆に熱産生が減少することが明らかになっている。従って、上記実験例で得られた結果は、リナロールによる匂い刺激が、白色脂肪組織での脂肪分解を抑制し、UCP蛋白質が存在する脂肪組織や筋肉での熱産生（エネルギー消費）を抑制してエネルギーを貯えるように作用することを示している。
【００７２】
また、副腎を支配する交感神経の活動が抑制されると、交感神経興奮を引き起こすアドレナリンの血中への分泌が抑制されて交感神経の興奮が抑制されることが知られているので、上記の脂肪分解抑制作用とエネルギー蓄積促進作用は、一層増強されることになる。
【００７３】
また上記の実験結果は、リナロールの匂い刺激によって、腸管を神経支配する副交感神経活動が亢進することを示唆している。一般に腸管を神経支配する副交感神経の活動が高まれば腸管の消化吸収機能が高まることになることから、それは食欲の高まりと連動する。実験例２に示されたリナロールの匂い刺激による食欲の増進（摂食量の増加）は、匂い刺激が鼻粘膜上のにおい受容体を介して嗅神経を興奮させてその情報が脳の梨状皮質に伝達され、視床下部の神経活動の変化を引き起こして生じているものと考えられる。そして、上記実験例３の結果は、その際（リナロールによる匂い刺激の時）に、腸管での消化吸収能も高まることを示唆している。この点から、上記の結果はリナロールの匂い刺激によって、エネルギーの吸収が高められ、組織へのエネルギーおよび蛋白質の貯蓄が亢進することを示している。
【００７４】
実験例４  （＋）-リナロールの匂い刺激の自律神経活動に対する影響
リナロールとして、（±）-リナロールおよび（＋）-リナロール（いずれも100倍容量の蒸留脱イオン水にて懸濁）（100倍希釈）を用いて、実験例３と同様にして、副腎を神経支配する交感神経（交感神経副腎枝）の神経活動（電気活動）に対するリナロールの匂い刺激による影響を調べた。（±）-リナロールの結果を図７（Ａ）に、（＋）-リナロールの結果を図７（Ｂ）に示す。
【００７５】
＜結果＞
図７に示すように、（±）-リナロールの匂い刺激および（＋）-リナロールの匂い刺激はいずれも、副腎を支配する交感神経の活動を低下させた。副腎を支配する交感神経の活動が抑制されると、交感神経興奮を引き起こすアドレナリンの血中への分泌が抑制されて交感神経の興奮が抑制されることが知られている。よって上記の結果から、異性体の別なく、リナロールの匂い刺激によると、アドレナリンの分泌が抑制（交感神経の興奮が抑制）されて各種の生理的現象（鎮静（リラクゼーション）、安眠）が生じると考えられる。
【００７６】
実験例５  リナロールの匂い刺激による腎臓交感神経活動と血圧に対する影響
１．はじめに
上記実験例３の実験結果から、リナロールの匂い刺激は、麻酔ラットにおいて副睾丸脂肪組織（白色脂肪組織）、肩甲間（背側）褐色脂肪組織および副腎を神経支配する交感神経の活動を抑制し、かつ胃を神経支配する迷走神経（副交感神経）の活動を抑制することが示された。このことから、リナロールの匂い刺激は、腎臓を神経支配する交感神経の活動にも影響を与える可能性がある。また、当該交感神経は血圧も支配しているので、リナロールの匂い刺激は同時に血圧にも影響を与える可能性がある。そこで、本実験では、リナロール（(±)- リナロール）による匂い刺激の、ウレタン麻酔ラットにおける腎臓交感神経活動ならびに血圧に対する影響を調べた。
【００７７】
２．被験動物
ラット（雄、Wistar rat、200〜250g）を被験動物として用いて、下記の実験を行った
。なお、ラットは、予め１週間、24±1℃、12時間周期の明期（照明80lx、7:00-19:00）
及び暗期（19:00-7:00）の環境下で１匹ずつ個別のケージで、飼料（MF type; Oriental Yeast）と水を自由に摂取させながら飼育した。
【００７８】
３．実験、及び結果
＜実験＞
ラットを２群（第１群、第２群）に分けて（各群：５匹）、６時間絶食後ウレタン麻酔下（１g/kgのウレタン水溶液を腹腔内投与）で、開腹した後、下記の方法で、１０分間匂い刺激を与えて、交感神経の活動については、腎臓を支配する交感神経の遠心枝について電気活動の変化を測定することにより（図５参照）、また血圧測定は、谷田、永井及び金子らの文献（in vivo 17:213-218 (2003)）に記載される方法に従って、大腿動脈にカテ
ーテルを挿入し、トランスジューサーを用いる観血的方法を用いて行った。
【００７９】
第１群（リナロール匂い刺激群）：リナロールを100倍容量の蒸留脱イオン水に懸濁し（100倍希釈）、ろ紙に十分吸収させて、それを直径５cm深さ６cmのガラス製ビーカーの底に置き、ラットの鼻の部分をビーカーの中に置いて匂い刺激を与えた。
第２群（コントロール群）：蒸留脱イオン水をろ紙に十分に吸収させて、第１群と同様にビーカーの底に置き、ラットの鼻の部分をビーカーの中に置いて匂い刺激を与えた。
【００８０】
なお、交感神経活動の測定は、具体的には、開腹したラットの腎臓支配交感神経の遠心枝を、実体顕微鏡下で銀製記録電極に釣り上げて、実験例３と同様にして行った（図５参照）。放電頻度はレイトメーターにより５秒間のリセットタイムにてペンレコーダー上に表示した。電気活動の記録は９０分間以上行った。
【００８１】
＜結果＞
リナロールによる匂い刺激時の腎臓交感神経活動および血圧の変化を、それぞれ図８および図９に示す。なお、実験結果は各群の匂い刺激前の血圧の値を100％として算出した百分率（％）にて示す。また、各図のデータは平均値±標準誤差で示す。図中の括弧内の数字は被験ラット数を意味する。また図中、−●−は、第１群（リナロール匂い刺激群）のラット、---○---は第２群（コントロール群）のラットの結果を、それぞれ示す。
【００８２】
この図から分かるように、リナロール匂い刺激は腎臓を支配する交感神経の活動を有意に抑制し[P<0.0005 (F=140) by ANOVA]、血圧も有意に低下させる［P<0.0005 (F=32.3) by ANOVA］ことが明らかとなった。
【００８３】
ところで前述する実験例３において、リナロールの匂い刺激が副腎を支配する交感神経活動を抑制することを示したが、かかる副腎交感神経の活動低下は副腎髄質からのアドレナリン分泌を抑制する結果、同時に血圧低下をもたらすことが知られている。すなわち、上記の実験結果は、リナロールの匂い刺激が、副腎を支配する交感神経活動の抑制と併行して、腎臓を支配する交感神経の活動をも抑制し、血圧低下作用を持つことを示すものである。
【００８４】
実験例６  匂い刺激によるストレプトゾトシン糖尿病ラットの耐糖能促進効果
１．始めに
実験例３において、リナロールの匂い刺激が副腎を支配する交感神経の活動を抑制することが示された。ところで、副腎髄質から分泌されるアドレナリンは血糖調節にも関与している。従って、リナロールの匂い刺激が、副腎交感神経を抑制してアドレナリン分泌を抑制する結果、糖尿病動物の血糖値を低下させる効果を有する可能性がある。糖尿病動物として、ストレプトゾトシン糖尿病ラット（STZ糖尿病ラット）を用いて、リナロール（(±)- リナロール）の匂い刺激が、当該糖尿病ラットに対する糖負荷時の血糖上昇に与える影響について検討した。
【００８５】
２．被験動物
ストレプトゾトシン糖尿病ラット（雄、Wistar rat、250〜300g）を被験動物として用
いて、下記の実験を行った。なお、糖尿病ラットは、streptozotocin（60 mg/kg）を腹腔内投与して作成した。当該ラットは、予め１週間、24±1℃、12時間周期の明期（照明80lx、7:00-19:00）及び暗期（19:00-7:00）の環境下で１匹ずつ個別のケージで、飼料（MF type; Oriental Yeast）と水を自由に摂取させながら飼育した。但し、実験開始２時間前から採血終了までは、一切食餌を与えなかった。実験開始の３日前、ペントバルビタール麻酔下(35mg/kg)で、SILASTIC製（Dow Corning, Midland MI）及びPE-50製（Clay Adams,
Parsippany, NJ）からなる心臓カテーテルを右心房に挿入した。
【００８６】
３．実験、及び結果
＜実験＞
実験当日、ラットを２群に分けて（各群：５匹）、第１群のラットに無麻酔下で下記の方法でリナロールによる匂い刺激を与えた。第２群のラットはコントロール群である。なお、リナロールは、1.5万倍容量の蒸留脱イオン水に懸濁して用いた（1.5万倍希釈）。
【００８７】
第１群（リナロール匂い刺激群）：体重300g当たり0.5gのグルコースを胃内投与用の針と注射筒を用いて、ラットに経口投与し、同時にリナロール懸濁液（1.5万倍希釈）を吸収させた7.5 cm角の医療用不織布ガーゼ（レーヨン100%、重量１g、ネオガーゼ、川本産業株式会社）を、ラットを収容したプラスチックケージの上蓋（金属製）の上に置き、ゲージを上からナイロン布で被い、15分間匂い刺激を与えた。
第２群（コントロール群）：体重300g当たり0.5gのグルコースを胃内投与用の針と注射筒を用いて、ラット経口投与し、同時に蒸留脱イオン水を吸収させた7.5 cm角の医療用不織布ガーゼ（レーヨン100%、重量１g、ネオガーゼ、川本産業株式会社）を、ラットを収容したプラスチックケージの上蓋（金属製）の上に置き、ゲージを上からナイロン布で被い、15分間匂い刺激を与えた。
【００８８】
各群のSTZ糖尿病ラットについて、上記ガーゼを置く直前（0分）、ガーゼ配置後30分、60分、90分及び120分後に、それぞれ右心房に挿入した心臓カテーテルから血液（各0.3ml）を採取した。採取した血液にEDTA（300nmol/10μl）をそれぞれ10μlずつ添加し、遠心して血漿を取得した後、直ちに血漿中のグルコース濃度を測定した。なお、血漿中のグルコース濃度は、glucose oxidaseを用いた生化学検査システム（Fuji Dri-chem System：
富士フィルム社製）にて測定した。
【００８９】
＜結果＞
結果を図１０に示す。なお、図のデータは平均値±標準誤差で示す。図中の括弧内の数字は被験ラット数を意味する。また図中、−●−は、第１群（リナロール匂い刺激群）のSTZ糖尿病ラット、---○---は第２群（コントロール群）のSTZ糖尿病ラットの結果を、それぞれ示す。図１０に示すように、第１群（リナロール匂い刺激群）（―●―）は、第２群（コントロール群）（---○---）と比較して、経口糖負荷時の血中グルコース濃度の上昇を有意に抑制した[P<0.05 (F=5.23) by ANOVA; 30分から60分後の値を群として比較]。
【００９０】
４．考察
これらの実験結果は、リナロールの匂い刺激が、糖尿病ラットの耐糖能を改善することを示している。すなわち、この結果は、リナロールの匂いによる刺激が、糖尿病治療に有効であることを示すものである。
【００９１】
実験例７  匂い刺激の免疫神経活動に対する影響
１．はじめに
交感神経は胸腺の皮質部分、脾臓の白髄の中心動脈周囲のリンパ球鞘、リンパ節の傍皮質などの免疫反応に関係の深い部分に分布している。そこで本実験では、リナロールの匂いによる刺激が生体の免疫活動にどのように関わっているかを明らかにするため、麻酔ラットを用いて、胸腺を支配する副交感神経の遠心枝（迷走神経胸腺枝）及び脾臓を支配する交感神経の遠心枝（交感神経脾臓枝）の電気活動に対してリナロールの匂い刺激が与える影響を調べた。なお、リナロールとして(±)-リナロールを用いた。
【００９２】
２．被験動物
ラット（雄、Wistar rat、200〜250g）を被験動物として用いて、下記の実験を行った。当該ラットは、予め１週間、24±1℃、12時間周期の明期（照明80lx、7:00-19:00）及び暗期（19:00-7:00）の環境下で、飼料（MF type; Oriental Yeast）と水を自由に摂取させながら飼育した。
【００９３】
３．実験、結果及び考察
＜実験＞
上記ラットを２群（Ａ群、Ｂ群）に分けて、６時間絶食後ウレタン麻酔下（１g/kgのウレタン水溶液を腹腔内投与）で、開腹した後、下記の方法で、１０分間匂い刺激を与えて、各自律神経の遠心枝について電気活動の変化を測定した（図９参照）。
【００９４】
Ａ群：迷走神経胸腺枝測定群
リナロールを100倍容量の蒸留脱イオン水に懸濁し（100倍希釈）、ろ紙に十分吸収させて、それを直径５cm深さ６cmのガラス製ビーカーの底に置き、ラットの鼻の部分をビーカーの中に置いて匂い刺激を与えた。
【００９５】
Ｂ群：交感神経脾臓枝測定群
リナロールを100倍容量の蒸留脱イオン水に懸濁し（100倍希釈）、ろ紙に十分吸収させて、それを直径５cm深さ６cmのガラス製ビーカーの底に置き、ラットの鼻の部分をビーカーの中に置いて匂い刺激を与えた。
【００９６】
各自律神経（遠心枝）の電気活動の測定は、具体的には、開腹したラットの各自律神経の遠心枝を、実体顕微鏡下で銀製記録電極で釣り上げて行った。乾燥を防ぐ為に電極は予め液体パラフィンとペトロレウムゼリーの混合物に十分浸しておいた。得られた神経の電気活動はコンデンサー式差動増幅器にて増幅し、オッシロスコープにてモニターし、磁気テープに記録した。全ての神経活動は、その生データをバックグランド・ノイズと分離するためにスライサーとウィンドウ・ディスクリミネーターを用いて標準パルスに変換した後に解析した。放電頻度はレイトメーターにより５秒間のリセットタイムにてペンレコーダー上に表示した。電気活動の記録は９０分間以上行った（図９Ｂ参照）。
【００９７】
＜結果＞
リナロールの匂い刺激による迷走神経胸腺枝の神経活動（電気活動）の変化を図１１（Ａ）に、リナロールの匂い刺激による交感神経脾臓枝の神経活動（電気活動）の変化を図１１(Ｂ)に、それぞれ示す。図１１（Ｂ）の(2)は、リナロール匂い刺激による交感神経脾臓枝の直接の神経活動（電気活動）の変化（図１１(Ｂ)の(1)）を、グラフ化したものである。
【００９８】
これらの結果からわかるように、リナロールの匂い刺激は、胸腺を支配する迷走神経（副交感神経）の活動を亢進させ、且つ脾臓を支配する交感神経の活動を低下させた。
【００９９】
＜考察＞
胸腺の迷走神経の興奮は胸腺からのリンパ球の放出を増加させ、脾臓の交感神経の活動低下はリンパ球のNK（natural killer）活性を増加させ、その結果、免疫賦活化を起こすことが知られている（A. Niijima and M.M.Meguid, ” Influence of systemic arginine-lysine on immune organ function: an electrophysiological study. Brain Res. Bull. 45: 437-441 (1998) ）。従って、上記実験例で得られた結果は、リナロールの匂い刺激が、胸腺の迷走神経を興奮させてリンパ球の放出を増加させ、脾臓の交感神経の活動を低下させてリンパ球のNK活性を増加させるように作用すること、すなわち、生体の免疫賦活化に作用することを示している。
【０１００】
実験例８  匂い刺激の皮膚神経活動に対する影響
１．はじめに
本実験では、麻酔ラットを用いて、皮膚を支配する交感神経（皮膚交感神経）の遠心枝の電気活動に対して、リナロール（(±)-リナロール）の匂いによる刺激が与える影響を調べた。
【０１０１】
２．被験動物
ラット（雄、Wistar rat、200〜250g）を被験動物として用いて、下記の実験を行った。当該ラットは、予め１週間、24±1℃、12時間周期の明期（照明80lx、7:00-19:00）及び暗期（19:00-7:00）の環境下で、飼料（MF type; Oriental Yeast）と水を自由に摂取させながら飼育した。
【０１０２】
３．実験、結果及び考察
＜実験＞
上記ラットを２群（第１群、第２群）に分けて、６時間絶食後ウレタン麻酔下（１g/kgのウレタン水溶液を腹腔内投与）で、開腹した後、下記の方法で、１０分間匂い刺激を与えて、皮膚交感神経の遠心枝について神経活動（電気活動）の変化を測定した（図５参照）。なお、皮膚交感神経（遠心枝）の電気活動の測定は実験例７に記載する方法に従った。
リナロール匂い刺激群：リナロールを100倍容量の蒸留脱イオン水に懸濁し（100倍希釈）、ろ紙に十分吸収させて、それを直径５cm深さ６cmのガラス製ビーカーの底に置き、ラットの鼻の部分をビーカーの中に置いて匂い刺激を与えた。
【０１０３】
＜結果＞
リナロールの匂い刺激による皮膚交感神経の神経活動（電気活動）の変化を図１２（Ａ）に示す。図１２(Ｂ）は、図１２（Ａ）に示す結果をグラフ化したものである。この結果からわかるように、リナロールの匂い刺激は、皮膚を支配する交感神経の活動を低下させた。
【０１０４】
＜考察＞
皮膚の血管の収縮は交感神経の活動によって決定され、皮膚の交感神経の活動が低下すると皮膚の血流量が増加することが知られている。皮膚の血流量が増加すると、それに伴って皮膚に運搬される酸素と栄養素量は増加し、その結果、皮膚の新陳代謝（ターンオーバー）が促進される。従って、上記実験例で得られた結果は、リナロールの匂い刺激が皮膚の交感神経の神経活動を低下させて血流量を増加させて、皮膚の新陳代謝（ターンオーバー）を促進するように作用することを示している。皮膚の新陳代謝が促進されると、肌が本来持っている機能が引き出されてうるおいや弾力のある健康な皮膚状態が取り戻され、また肌のしわ、色素沈着によるくすみやシミや雀斑形成が抑制ないしは改善されるといった効果が期待される。
【０１０５】
実験例９  リナロールの匂い刺激によるリズム行動に対する影響
１．はじめに
上記の実験結果から、リナロールの匂い刺激は、各種交感神経の活動を抑制し、副交感神経）の活動を亢進することが示された。特に実験例４の結果は、リナロール（(±)-リナロール、(＋)-リナロール）の匂い刺激によると、アドレナリンの分泌を司る副腎を神経支配する交感神経が抑制され、これによって、アドレナリンの分泌が減少して心身の緊張状態が緩和されることを示している。そこで、本実験では、ラットの１日のリズム行動に対するリナロール（(±)- リナロール）の匂い刺激の影響を調べた。
【０１０６】
２．被験動物
ラット（雄、Wistar rat、250〜300g）を被験動物として用いて、下記の実験を行った
。なお、ラットは、予め１週間、24±1℃、12時間周期の明期（照明80lx、7:00-19:00）
及び暗期（19:00-7:00）の環境下で１匹ずつ個別のケージで、飼料（MF type; Oriental Yeast）と水を自由に摂取させながら飼育した。
【０１０７】
３．実験、及び結果
＜実験＞（図１３（Ａ）（Ｂ）参照）
ラットを２群（第１群、第２群）に分けて（各群：４匹）、１匹ずつラットを入れたケージ（図１３、符号１）ごと焦電型赤外線センサーモジュール（符号３）付きの動物飼育装置（コイトトロンＥＡ形；小糸工業（株）製）（図１３、符号２）にいれた。なお、動物飼育装置内の温度は24±1℃に調製し、12時間周期で明期（照明80lx、7:00-19:00）と暗期（19:00-7:00）がくるように設定した。動物飼育装置内に設置した焦電型赤外線センサーモジュール（符号３）は、９面１８ゾーンをもつフレネンレンズを採用した赤外線センサーモジュールであり、５ｍ強の範囲内における動きを感知することができる。
【０１０８】
第１群（リナロール匂い刺激群）：後述する実施例２で調製した布帛〔リナロールをマイクロカプセル化したもの（芳香療法材：実施例１）を付着させた布帛（綿100％）、大きさ：30cm×30cm、リナロール含浸量：マイクロカプセル付着前の生地重量100重量％に対して0.11重量％〕（符号４）を壁の一面に貼り付けた動物飼育装置内に、ラット（１匹）を入れたケージを入れ、１３日間に亘り、終日の活動（動き）をカウントした。（図１３（Ｂ）参照）
第２群（コントロール群）：何も付着させない布帛（綿100％）、大きさ：30cm×30cm〕を壁の一面に貼り付けた動物飼育装置内に、ラット（１匹）を入れたケージを入れ、１３日間に亘り、終日の活動（動き）をカウントした。
【０１０９】
＜結果＞
図１４に  第１群（リナロール匂い刺激群）（−●−）及び第２群（コントロール群）（---■---）のラットの１日の総活動量（total activity）（13日間）を示す。また、図１５に、第１群（リナロール匂い刺激群）（−●−）及び第２群（コントロール群）（---■---）のラットの、１日の総活動量に対する明期（照明80lx、7:00-19:00、720分間）の活動量の占める割合を、１日の総活動量を100％として算出した結果（light activity）を示す（13日間）。なお、ラットは暗期に活動し明期に就寝する夜行性動物であるから、明期は就寝時間帯に相当する。結果は、ラット４匹の平均値で示す。
【０１１０】
図１６（Ａ）は、１日総活動量の１３日間の平均値を、第１群（リナロール匂い刺激群）及び第２群（コントロール群）とで対比した結果を、また図１６（Ｂ）は、１日総活動量に対して明期活動量が占める割合の１３日間の平均値を、第１群（リナロール匂い刺激群）及び第２群（コントロール群）とで対比した結果を示す。
【０１１１】
これらの結果から分かるように、リナロール匂い刺激によって、ラットの１日の活動量が低減すること（鎮静化）ことが示された。さらに、特に就寝時の活動が大きく低減することから、リナロール匂い刺激によって睡眠時の覚醒頻度が低減したこと、すなわち就寝時によく寝ていることが示された。以上のことから、リナロール匂い刺激によって、心身が鎮静化でき、安眠をもたらすことができることがわかった。
【０１１２】
実験例１０  リナロールの匂い刺激による安眠効果
実施例２で調製した布帛（綿織物）で枕カバー（50cm×30cm）を作成し、成人男女合わせて実際に就寝時に枕に使用してもらい、安眠作用を確認した。評価は（５）ぐっすり眠れた、（４）普段よりよく眠れた、（３）普段と変わらなかった、（２）普段より眠れなかった、および（１）全然眠れなかった、の５段階のアンケート調査により行った。
結果を表１に示す。
【０１１３】
【表１】
2005206597.tif 000002
この結果から、リナロール（実施例１：鎮静・安眠材）を付着させた枕カバーの使用により、普段と変わらないか普段よりよく眠れる傾向が認められ、リナロールの匂い刺激によって安眠効果が得られることが確認できた。
【０１１４】
参考実験例１  匂い刺激の自律神経活動に対する影響
１．はじめに
以上の実験結果から、リナロールによる匂い刺激が、自律神経活動の変化を介して、脂肪分解抑制（エネルギー消費抑制）、摂食量及び体重の増加、血圧低下、血糖低下、鎮静・安眠化をもたらすことが明らかとなった。上記リナロールによる匂い刺激の作用機作としては、鼻粘膜の匂い受容体を介して匂い情報が脳で処理されて自律神経を変化させる場合と、匂いが鼻粘膜や肺から吸収されて血流を介して自律神経を変化させる場合の２つが考えられる。本実験では、上記匂い刺激の作用機作が、上記のいずれかであるかを明らかにする。
【０１１５】
２．被験動物
ラット（雄、Wistar rat、200〜250g）を被験動物として用いて、下記の実験を行った
。当該ラットは、予め１週間、24±1℃、12時間周期の明期（照明80lx、7:00-19:00）及
び暗期（19:00-7:00）の環境下で１匹ずつ個別のケージで、飼料（MF type; Oriental Yeast）と水を自由に摂取させながら飼育した。
【０１１６】
３．実験及び結果
＜実験＞
ラットを４群（第１〜４群）に分けて、６時間絶食後ウレタン麻酔下（１g/kgのウレタン水溶液を腹腔内投与）で、下記方法により、１０分間リナロールを含む精油（ラベンダー精油）による匂い刺激を与えて、胃を支配する副交感神経の電気活動の変化を測定した。なお、リナロールを含むラベンダー精油は、100倍容量の蒸留脱イオン水に懸濁したものを使用し（100倍希釈）、それをろ紙に十分吸収させて、直径５cm深さ６cmのガラス製ビーカーの底に置いて調製した（精油吸収ろ紙入りビーカー）。
【０１１７】
第１群（気管匂い刺激群）：被験ラットの頚部で気管を切開し、肺へ向かう方の気管にチューブを挿入しそのチューブの端を、精油吸収ろ紙入りビーカーの底に向けて置き、ラベンダー精油が鼻粘膜には行かずに直接肺の方にいくようにして匂い刺激を与え、胃を支配する副交感神経の電気活動の変化を測定した（図１７(1)参照）。
第２群（鼻腔パンピング匂い刺激群）：被験ラットの頚部で気管を切開し、肺に向かう気管は開放して呼吸ができるようにしておき、鼻腔に向かう方の気管に注射筒を挿入して、鼻先に精油吸収ろ紙入りビーカーをおき、ろ紙に吸収させたラベンダー精油の匂いを注射筒にてパンピングして１０分間鼻粘膜を匂い刺激し、胃を支配する副交感神経の電気活動の変化を測定した（図１７(2)参照）。
第３群：胃の副交感神経の電気活動を記録しながら、被験ラットにラベンダー懸濁液（100
倍希釈）を0.1ml及びまた時間をおいて0.5ml皮下投与した。次いで、第２群と同様にして１０分間、鼻粘膜部をラベンダー精油で匂い刺激した（鼻腔パンピング匂い刺激）（図１８(3)参照）。
第４群：胃の副交感神経の電気活動を記録しながら、第２群と同様にして１０分間、鼻粘膜部をラベンダー精油で匂い刺激し（鼻腔パンピング匂い刺激）、神経活動が上昇した時点で２％キシロカインを0.2 ml鼻腔内に注入して、局所麻酔による影響を調べた。更に、局所麻酔後、再度上記と同様に１０分間鼻腔パンピング匂い刺激を行った（図１８(4)参照）。
【０１１８】
なお、胃を支配する副交感神経の電気活動の測定は、具体的には、６時間絶食後ウレタン麻酔下（１g/kgのウレタン水溶液を腹腔内投与）で開腹したラットの胃の副交感神経の遠心枝を、実体顕微鏡下で銀製記録電極に釣り上げて、実験例３と同様にして行った（図５参照）。放電頻度はレイトメーターにより５秒間のリセットタイムにてペンレコーダー上に表示した。電気活動の記録は９０分間以上行った。
【０１１９】
＜結果＞
図１７の(1)及び(2)に、第１群及び第２群の実験結果を示す。第１群の肺に向かってラベンダー精油の匂い成分を吸わせたとき（第１群）には、胃副交感神経の活動は上昇しなかったが、鼻腔に向かって注射筒を用いて強制的にラベンダー精油の匂いを吸わせたとき（第２群）には、胃副交感神経の活動が上昇した。この事実は少なくともラベンダー精油の匂い成分は鼻腔内で作用する事を示している。図１８の(3)及び(4)に第３群及び第４群の実験結果を示す。
【０１２０】
図１８(3)に示すように、ラベンダー懸濁液を皮下投与しても胃副交感神経の活動は上昇しなかったが、ラベンダー精油の匂いを吸わせると、胃副交感神経の活動が上昇した。さらに図１８(4)に示すように、ラベンダー精油による鼻腔への匂い刺激によって上昇した胃副交感神経の活動は、キシロカイン注入による鼻腔の局所麻酔により迅速に低下することが認められた。また、局所麻酔後は、ラベンダー精油によって鼻腔に匂い刺激を行っても胃副交感神経の活動は上昇しなかった。これらの事実は上記の知見を裏付けるものである。
【０１２１】
４．考察
これらの事実は、リナロールを含む匂い成分は、鼻粘膜の匂い受容体を介して匂い情報を脳内に伝達し、それによって末梢各組織を神経支配する自律神経活動が変化すること（白色脂肪組織、褐色脂肪組織、副腎、腎臓、脾臓、及び皮膚を支配する交感神経活動の抑制、胃や胸腺を支配する副交感神経の促進）、その結果、脂肪分解抑制、エネルギー蓄積促進、血圧低下、血糖低下、免疫賦活化、皮膚代謝亢進、鎮静化・安眠促進などが生じること、また他方で、リナロールを含む匂い成分は、鼻粘膜の匂い受容体を介して視床下部にある摂食調節中枢に伝達されることによって食欲を増進することを示唆している（図１９）。
【０１２２】
＜実施例＞
以下の実施例に示す本発明の芳香療法用組成物を含有する付香製品を調製した。但し、当該付香製品は、本発明が対象とする付香製品の一例にすぎない。なお、下記のリナロールとして、（±）-リナロール(dl-3,7Dimethyl-3-hydroxy-1,6-octadiene, Aldrich Chem. Co., Milwaukee)（合成品、純度97％以上）または（＋）-リナロール（三栄源エフ・エフ・アイ（株）より入手、コリアンダーより抽出分離精製、純度99％以上）を使用した。
【０１２３】
実施例１：芳香療法材（鎮静・安眠材）  
スチレン−無水マレイン酸共重合体（クロバックス400：商品名、日本合成（株）製）を少量の水酸化ナトリウムで溶解した５重量％水溶液（pH4）100ｇに、（±）-リナロールを100ｇ入れ、攪拌して乳化した（（±）-リナロール乳化液）。一方、メラミン10ｇ、37％ホルマリン25ｇ、および水65ｇの混合液を水酸化ナトリウムでｐＨ９に調整し、60℃に加熱し、15分間攪拌してメラミン−ホルムアルデヒド初期縮合物を調製した。このメラミン−ホルムアルデヒド初期縮合物を、上記の（±）-リナロール乳化液に加え、液温を60℃保ちながら30分攪拌し、濾紙で濾過した後、自然乾燥して、リナロール内包率70％、平均粒子径約8μmのマイクロカプセル形態を有する芳香療法材（鎮静・安眠材）を得た。
【０１２４】
実施例２：繊維製品
精練、漂白およびシルケット処理した目付150g/m２の綿100％織物を、実施例１で調製したマイクロカプセルを含有する混合液〔0.18重量％ マイクロカプセル（芳香療法材）、2重量％ シリコンバインダー（TF3500、北広ケミカル社製）、97.82重量％ 水）に浸漬した。浸漬後、取り出した織物をマングルロールで絞り（絞り率:60％）、100℃で２分間乾燥した後、150℃で熱処理して繊維製品（布帛、織物）を得た。
【０１２５】
実施例３：液体芳香剤
（±）-リナロール（または（＋）-リナロール）        1.0(3.0)重量%
アルコール系溶剤（ソルフィット：クラレ製）          6.0
ポリオキシエチレンラウリルエーテル                  4.5
ポリオキシエチレンアルキルエーテル                  0.5
イオン交換水                                        残部                
合  計                                            100.00  重量％。
【０１２６】
実施例４：ゲル芳香剤
（±）-リナロール（または（＋）-リナロール）        1.0(3.0)重量%
ジェランガム                                        0.8
乳酸カルシウム                                      0.05
ポリオキシエチレンラウリルエーテル                  6.0
ポリオキシエチレンアルキルエーテル                  0.5
イオン交換水                                        残部                
合  計                                            100.00  重量％。
【０１２７】
実施例５：芳香エアゾール剤
（±）-リナロール（または（＋）-リナロール）     0.17(0.5)重量%
エタノール                                      19.8
LPG 残部                                                            
合  計                                         100.00  重量％。
【０１２８】
実施例６：芳香剤
（±）-リナロール（または（＋）-リナロール）      30(88.2)重量%
イソパラフィン                                    残部              
合  計                                           100.00  重量％
リナロール（またはラベンダー精油）及びイソパラフィンからなる混合物を担持体（ケイ酸カルシウム）に含浸させて、素焼き容器に入れ、芳香剤を調製した。
【０１２９】
実施例７：吸入用液体芳香剤
（±）-リナロール（または（＋）-リナロール）     1.0（3.0)重量%
エタノール                                      50.0
ポリオキシエチレンラウリルエーテル               2.25
ポリオキシエチレンアルキルエーテル               2.25
イオン交換水                                    残部          
合  計                                        100.00  重量％。
【０１３０】
実施例８：マッサージオイル
（±）-リナロール（または（＋）-リナロール）     0.5（1.5）
ホホバ油                                         残部          
合  計                                         100.00  重量％。
【０１３１】
実施例９：マッサージクリーム
（±）-リナロール（または（＋）-リナロール）     1（3.0）
ミツロウ                                        10.0
流動パラフィン                                  50.0
ホウ砂                                           1.0
精製水                                           残部          
合  計                                        100.00  重量％。
【０１３２】
実施例１０：ガム
（±）-リナロール（または（＋）-リナロール）    0.01(0.03) 
還元麦芽糖                                     20.0
還元麦芽糖水飴                                  5.0
ガムベース                                      残部         
合計                                         100.0  重量％。
【図面の簡単な説明】
【０１３３】
【図１】リナロールの匂い刺激の血漿グリセロール（plasma glycerol）濃度に対する影響を示す図である（実験例１）。図中、−●−は第１群（リナロール匂い刺激群）のラット（図中、「Linalool」と表示）、---○---は第２群（コントロール群）のラット（図中、「Water」と表示）の結果を示す。データは平均値±標準誤差で示す（下記の図においても同じ）。図中の括弧内の数字は被験ラット数を意味する（下記の図においても同じ）。横軸は、ケージの上に被験試料を含浸させたガーゼを配置した後の経過時間（分）を、縦軸は血漿中のグリセロール濃度（％）を示す
【図２】リナロールの匂い刺激の摂食量に対する影響を示す図である（実験例２）。図中、−●−は第１群（リナロール匂い刺激群）のラット（図中、「Linalool」と表示）、---○---は第２群（コントロール群）のラット（図中、「Water」と表示）の結果を示す。横軸は、ケージの上に被験試料を含浸させたガーゼを配置した後の経過時間（週）を、縦軸はラット１匹の１日あたりの摂食量（g/day/rat）を示す。
【図３】リナロールの匂い刺激の体重に対する影響を示す図である（実験例２）。図中、−●−は第１群（リナロール匂い刺激群）のラット（図中、「Linalool」と表示）、---○---は第２群（コントロール群）のラット（図中、「Water」と表示）の結果を示す。横軸は、ケージの上に被験試料を含浸させたガーゼを配置した後の経過時間（日）を、縦軸はラット１匹の体重（g）を示す
【図４】リナロールの匂い刺激の組織重量〔右から、心臓（Heart）、肝臓（Liver）、脾臓（Spleen）、腎臓（Kidney）、白色脂肪組織〔（腸間膜周囲脂肪組織（Mesenteric）、腹睾丸周囲脂肪組織（Epididymal）、腎臓周囲脂肪組織（Perirenal）〕、膵臓（Pancreas）〕に対する影響を示す図である（実験例２）。図中、■カラムは第１群（リナロール匂い刺激群）のラット（図中、「Linalool」と表示）、□カラムは第２群（コントロール群）のラット（図中、「Water」と表示）の結果を示す。
【図５】実験例３〜５、７〜８及び参考実験例１における実験手法を示す図である。Ａは被験ラットに匂い刺激を与える方法を示す模式図であり、Ｂは被験ラットの各神経遠心枝の電気活動を測定する方法を示す模式図である。
【図６】匂い刺激による各自律神経〔上段から、副睾丸脂肪組織（白色脂肪組織）を神経支配する交感神経、肩甲間（背側）褐色脂肪組織を神経支配する交感神経、副腎を神経支配する交感神経、胃を神経支配する迷走神経（副交感神経）〕の遠心枝の神経活動（電気活動）の変化を示す図である。図６の左から順に、コントロール群、及びリナロール匂い刺激群の、匂い刺激による神経活動の結果を示す。なお、各図の上の横線は、各匂い刺激の付与期間（１０分間）を示す。
【図７】（±）-リナロール（図Ａ）、および（＋）-リナロール（図Ｂ）の匂い刺激による、副腎を神経支配する交感神経の遠心枝の神経活動（電気活動）の変化を示す図である（実験例４）。
【図８】リナロールによる匂い刺激時の腎臓交感神経活動（renal sympathetic nerve activity）の変化（％）を示す図である（実験例５）。なお、実験結果は各試験群の匂い刺激前の腎臓交感神経活動の値を100％として算出した百分率にて示す。図中、−●−は第１群（リナロール匂い刺激群）（図中、「Linalool」と表示）、---○---は第２群（コントロール群）（図中、「Water」と表示）の結果をそれぞれ示す。
【図９】リナロールによる匂い刺激時の血圧（mean arterial pressure）の変化（％）を示す図である（実験例５）。なお、実験結果は各試験群の匂い刺激前の血圧の値を100％として算出した百分率にて示す。図中、−●−は第１群（リナロール匂い刺激群）（図中、「Linalool」と表示）、---○---は第２群（コントロール群）（図中、「Water」と表示）の結果をそれぞれ示す。
【図１０】リナロールの匂い刺激が、ストレプトゾトシン糖尿病ラットに対する糖負荷時の血糖上昇に与える影響について調べた結果を示す図である（実験例６）。図中、−●−は第１群（リナロール匂い刺激群）（図中、「Linalool」と表示）の糖負荷後の血漿グルコース濃度（mg/dl）を、---○---は第２群（コントロール群）（図中、「Water」と表示）の糖負荷後の血漿グルコース濃度（mg/dl）をそれぞれ示す。
【図１１】リナロール匂い刺激による自律神経〔(Ａ）胸腺を神経支配する副交感神経（迷走神経胸腺枝）、（Ｂ）脾臓を神経支配する交感神経（交感神経脾臓枝）〕の遠心枝の神経活動（電気活動）の変化を示す図である（実験例７）。なお、各図の上の横線は、各匂い刺激の付与期間（１０分間）を示す。
【図１２】（Ａ）はリナロール匂い刺激による自律神経〔皮膚を神経支配する交感神経〕の遠心枝の神経活動（電気活動）の変化を示す図である（実験例８）。（Ｂ）はそれをグラフ化したものである。
【図１３】リズム行動試験（実験例９）に使用したケージ（符号１）（図Ａ）、焦電型赤外線センサーモジュール（符号３）付きの動物飼育装置（符号２）（図Ｂ）を示す図である。図Ｂ中、符号４はリナロールをマイクロカプセル化した芳香療法材（実施例１）を付着させた布帛、または何も付着させない布帛を意味する。
【図１４】第１群（リナロール匂い刺激群）（−●−）（図中、「Linalool」と表示）及び第２群（コントロール群）（---■---）（図中、「Water」と表示）のラットの１日の総活動量（total activity）（13日間）を示す図である。結果はラット４匹の平均値で示す。
【図１５】第１群（リナロール匂い刺激群）（−●−）（図中、「Linalool」と表示）及び第２群（コントロール群）（---■---）（図中、「Water」と表示）のラットの、１日の総活動量に対する明期（照明80lx、7:00-19:00、720分間）の活動量の占める割合を、１日の総活動量を100％として算出した結果（light activity）を示す（13日間）。結果はラット４匹の平均値で示す。
【図１６】（Ａ）は、１日総活動量の１３日間の平均値を、第１群（リナロール匂い刺激群）（「Linalool」と表示）及び第２群（コントロール群）（「Water」と表示）とで対比した結果を、（Ｂ）は、１日総活動量に対して明期活動量が占める割合の１３日間の平均値を、第１群（リナロール匂い刺激群）（「Linalool」と表示）及び第２群（コントロール群）（「Water」と表示）とで対比した結果を示す。
【図１７】ウレタン麻酔ラットの胃副交感神経活動に対するラベンダー精油の肺（気管）刺激および鼻腔刺激による影響を示す図である（参考実験例１）。
【図１８】上段は、ウレタン麻酔ラットの胃副交感神経活動に対するラベンダー精油の皮下投与および鼻腔刺激による影響を示す図である。また下段は、ウレタン麻酔ラットの胃副交感神経活動に対するラベンダー精油の鼻腔刺激による促進効果に対する、鼻粘膜局所麻酔の影響を示す図である（参考実験例１）。
【図１９】リナロールの匂い刺激の、自律神経に与える影響を纏めた図である。
【図１】
2005206597.tif 000003
【図２】
2005206597.tif 000004
【図３】
2005206597.tif 000005
【図４】
2005206597.tif 000006
【図５】
2005206597.tif 000007
【図６】
2005206597.tif 000008
【図７】
2005206597.tif 000009
【図８】
2005206597.tif 000010
【図９】
2005206597.tif 000011
【図１０】
2005206597.tif 000012
【図１１】
2005206597.tif 000013
【図１２】
2005206597.tif 000014
【図１３】
2005206597.tif 000015
【図１４】
2005206597.tif 000016
【図１５】
2005206597.tif 000017
【図１６】
2005206597.tif 000018
【図１７】
2005206597.tif 000019
【図１８】
2005206597.tif 000020
【図１９】
2005206597.tif 000021